(57)【要約】【課題】記憶保持している異音検査等に伴う実績データから、目的の検査対象の波形データを検索し、検査対象の音等の波形データを再生することが容易に行える波形データ再生装置を提供すること【解決手段】波形解析検査装置１から出力される実績データファイル３と、その実績データを求める基となった波形データファイル４を取得するとともに、それらを関連づけて検査結果データベース１１に格納するデータベース格納部１２と、検査結果データベースにアクセスし、所定の検索条件に合致する実績データを抽出するとともに、その抽出した実績データに基づく検索結果情報を出力する検査結果検索部１３と、検索結果情報にしたがって指定された検索結果に対応する波形データを読み出すとともに、その読み出した波形データを再生する波形データ音再生部１４とを備えて構成する。【選択図】　　　　図１
2004117092.tif 000002
【特許請求の範囲】
【請求項１】
取得した波形に基づいて所定の解析を行う波形解析検査装置から出力される検査結果並びに検査対象を特定する特定情報を含む実績データと、その実績データを求める基となった波形データを取得するとともに、それらを関連づけて検査結果データベースに格納するデータベース格納手段と、
前記検査結果データベースと、
前記検査結果データベースにアクセスし、所定の検索条件に合致する前記実績データを抽出するとともに、その抽出した実績データに基づく検索結果情報を出力する検査結果検索手段と、
前記検索結果情報にしたがって指定された検索結果に対応する波形データを読み出すとともに、その読み出した波形データを再生する波形データ再生手段とを備えたことを特徴とする波形データ再生装置。
【請求項２】
取得した波形に基づいて所定の解析を行う波形解析検査装置から出力される検査結果並びに検査対象を特定する特定情報を含む実績データと、その実績データを求める基となった波形データを取得するとともに、それらを関連づけて検査結果データベースに格納するデータベース格納手段と、
前記検査結果データベースにアクセスし、所定の検索条件に合致する前記実績データを抽出するとともに、その抽出した実績データに基づく検索結果情報を出力する検査結果検索手段と、
前記検索結果情報にしたがって指定された検索結果に対応する波形データを読み出すとともに、その読み出した波形データを再生する波形データ再生手段とを備えたことを特徴とする波形データ再生装置。
【請求項３】
取得した波形に基づいて所定の解析を行う波形解析検査装置から出力される検査結果並びに検査対象を特定する特定情報を含む実績データを格納する検査結果データベースと、
前記検査結果データベースにアクセスし、所定の検索条件に合致する前記実績データを抽出するとともに、その抽出した実績データに基づく検索結果情報を出力する検査結果検索手段と、
前記検索結果情報にしたがって指定された検索結果に対応する波形データを所定の記憶装置から読み出すとともに、その読み出した波形データを再生する波形データ再生手段とを備え、
前記所定の記憶装置には、予め前記実績データと関連づけられて格納されていることを特徴とする波形データ再生装置。
【請求項４】
取得した波形に基づいて所定の解析を行う波形解析検査装置から出力される検査結果並びに検査対象を特定する特定情報を含む実績データを格納する検査結果データベースにアクセスし、所定の検索条件に合致する前記実績データを抽出するとともに、その抽出した実績データに基づく検索結果情報を出力する検査結果検索手段と、
前記検索結果情報にしたがって指定された検索結果に対応する波形データを所定の記憶装置から読み出すとともに、その読み出した波形データを再生する波形データ再生手段とを備え、
前記所定の記憶装置には、予め前記実績データと関連づけられて格納されていることを特徴とする波形データ再生装置。
【請求項５】
前記所定の記憶装置は、内部記憶装置であることを特徴とする請求項３または４に記載の波形データ再生装置。
【請求項６】
前記所定の記憶装置は、前記波形解析検査装置，他のコンピュータ，外部記憶装置等の外部装置であることを特徴とする請求項３または４に記載の波形データ再生装置。
【請求項７】
前記記憶装置に格納される前記波形データのファイル名を、前記実績データに含まれる前記特定情報の少なくとも一部を利用することにより、前記関連づけを行うことを特徴とする請求項３から６の何れか１項に記載の波形データ再生装置。
【請求項８】
前記検査結果データベース或いは前記記憶装置に格納される前記波形データは、前記波形解析検査装置が取得した波形のうち、解析に必要の無いデータ部分を削除することより圧縮されたデータであることを特徴とする請求項１から７の何れか１項に記載の波形データ再生装置。
【請求項９】
請求項１から８の何れか１項に記載の波形データ再生装置と、前記波形解析検査装置がネットワーク接続されていることを特徴とする波形データ再生システム。
【請求項１０】
請求項２または請求項４に記載の波形データ再生装置と、前記波形解析検査装置がネットワーク接続され、かつ、前記波形データ再生装置がアクセス可能な前記検査結果データベースを備えていることを特徴とする波形データ再生システム。
【請求項１１】
請求項１から８の何れか１項に記載の波形データ再生装置に、前記波形解析検査装置が実装されていることを特徴とする波形データ再生装置。
【請求項１２】
取得した波形に基づいて所定の解析を行う波形解析検査装置から出力される検査結果並びに検査対象を特定する特定情報を含む実績データと、その実績データを求める基となった波形データを取得するとともに、それらを関連づけて検査結果データベースに格納し、
入力装置を介して指定された検索条件に基づき、前記検査結果データベースにアクセスし、前記検索条件に合致する前記実績データを抽出するとともに、その抽出した実績データに基づく検索結果情報を表示装置に出力し、
前記検索結果情報にしたがって指定された検索結果に対応する波形データを前記検査結果データベースから読み出すとともに、その読み出した波形データを再生することを特徴とする波形データ再生装置における波形データ再生方法。
【請求項１３】
取得した波形に基づいて所定の解析を行う波形解析検査装置から出力される検査結果並びに検査対象を特定する特定情報を含む実績データを検査結果データベースに格納し、
入力装置を介して指定された検索条件に基づき、前記検査結果データベースにアクセスし、前記検索条件に合致する前記実績データを抽出するとともに、その抽出した実績データに基づく検索結果情報を表示装置に出力し、
前記検索結果情報にしたがって指定された検索結果に対応する波形データを記憶装置から読み出すようにし、
前記記憶装置には、前記実績データに対応する前記波形データが、予め前記実績データと関連づけられて格納されていることを特徴とする波形データ再生装置における波形データ再生方法。
【請求項１４】
取得した波形に基づいて所定の解析を行う波形解析検査装置から出力される検査結果並びに検査対象を特定する特定情報を含む実績データと、その実績データを求める基となった波形データを取得するとともに、それらを関連づけて検査結果データベースに格納する処理と、
入力装置を介して指定された検索条件に基づき、前記検査結果データベースにアクセスし、前記検索条件に合致する前記実績データを抽出するとともに、その抽出した実績データに基づく検索結果情報を表示装置に出力する処理と、
前記検索結果情報にしたがって指定された検索結果に対応する波形データを前記検査結果データベースから読み出すとともに、その読み出した波形データを再生する処理を実行するプログラム部分を持つことを特徴とするプログラム製品。
【請求項１５】
取得した波形に基づいて所定の解析を行う波形解析検査装置から出力される検査結果並びに検査対象を特定する特定情報を含む実績データを検査結果データベースに格納する処理と、
入力装置を介して指定された検索条件に基づき、前記検査結果データベースにアクセスし、前記検索条件に合致する前記実績データを抽出するとともに、その抽出した実績データに基づく検索結果情報を表示装置に出力する処理と、
前記検索結果情報にしたがって指定された検索結果に対応する波形データを記憶装置から読み出す処理を実行するプログラム部分を持ち、
前記記憶装置に格納される前記実績データに対応する前記波形データは、予め前記実績データと関連づけられて格納されることを特徴とするプログラム製品。
【発明の詳細な説明】
【０００１】
【発明の属する技術分野】
この発明は、波形データ再生装置及び波形データ再生方法並びにプログラム製品並びに波形データ再生システムに関するものである。
【０００２】
【従来の技術】
自動車や家電製品などには、モータが組み込まれた回転機器が非常に多く用いられている。例えば自動車を例にとってみると、エンジン，パワーステアリング，パワーシート，ミッションその他の至る所に回転機器が実装されている。又、家電製品では、冷蔵庫，エアコン，洗濯機その他各種の製品がある。そして、係る回転機器が実際に稼働すると、モータ等の回転に伴って音が発生する。
【０００３】
係る音は、正常な動作に伴い必然的に発生するものもあれば、不良に伴い発生する音もある。その不良に伴う異常音の一例としては、ベアリングの異常，内部の異常接触，アンバランス，異物混入などがある。より具体的には、ギヤ１回転について１度の頻度で発生するギヤ欠け，異物かみ込み，スポット傷，モータ内部の回転部と固定部が回転中の一瞬だけこすれ合うような異常音がある。また、人が不快と感じる音としては、例えば人間が聞こえる２０Ｈｚから２０ｋＨｚの中で様々な音があり、例えば約１５ｋＨｚ程度のものがある。そして、係る所定の周波数成分の音が発生している場合も異常音となる。もちろん、異常音はこの周波数に限られない。
【０００４】
係る不良に伴う音は、不快であるばかりでなく、さらなる故障を発生させるおそれもある。そこで、それら各製品に対する品質保証を目的とし、生産工場においては、通常検査員による聴覚や触覚などの五感に頼った「官能検査」を行い、異常音の有無の判断を行っている。具体的には、耳で聞いたり、手で触って振動を確認したりすることによって行っている。なお、官能検査は、官能検査用語　ＪＩＳ　Ｚ８１４４により定義されている。
【０００５】
ところで、係る検査員の五感に頼った官能検査では、熟練した技術を要するばかりでなく、判定結果に個人差や時間による変化などのばらつきが大きい。さらには、判定結果のデータ化，数値化が難しく管理も困難となるという問題がある。そこで、係る問題を解決するため、定量的かつ明確な基準による安定した検査を目的とした異音検査装置がある。この異音検査システムは、「官能検査」工程の自動化を目的とした装置であり、製品駆動部の振動や音をセンサで測定し、そのアナログ信号をＦＦＴアルゴリズムを応用した周波数解析装置を使って周波数成分を調べて検査するものである（特許文献１，２，３）。
【０００６】
この特許文献１〜３に開示された技術を簡単に説明すると、ＦＦＴアルゴリズムを応用した周波数解析装置は、時間領域信号を高速フーリエ変換アルゴリズムにより、周波数領域の分析をすることができる。一方、異常音の周波数領域もある程度決まっている。従って、分析により抽出された周波数成分のうち、異常音の発生領域に該当する成分を抽出することができるので、係る抽出した成分の特徴量を求める。そして、特徴量から異常の有無やその原因などをファジィ推論などを用いて推定するようにしている。
【０００７】
さらに、ＦＡ業界，プロセス工業における生産ラインの設備・装置は、ますます高速化，複雑化してきている。一方で、この設備・装置が異常や故障が発生すると、生産・品質に大きな影響を与えてしまう。それを予防するための簡易診断や精密診断の技術の一つとして、上記したＦＦＴアルゴリズムを応用した周波数解析装置を使用した周波数解析も必須技術となっている。
【０００８】
上記した異音検査システムでは、一度定めた基準に従った自動判定ができるとともに、検査した結果（実績）と、そのときの波形データを、異音検査システム内の記憶装置に保存することができる。
【０００９】
【特許文献１】
特開平１１−１７３９５６号
【特許文献２】
特開平１１−１７３９０９号
【特許文献３】
特開２００１−９１４１４号
【００１０】
【発明が解決しようとする課題】
しかしながら、上記した従来の装置では、以下に示す問題があった。すなわち、異音検査システムを構成する装置は、生産現場に設置されており、上記した検査結果並びに波形データもその異音検査システムに記憶されている。このとき、検査結果は、ある期間（例えば１日）において取得した検査結果を全て１つのファイルに記録している。具体的には、テキストファイルで構成され、１回の検査結果を１列に記述した構成を採る。
【００１１】
一方、波形データは、１つの検査に対して１つのファイルを作成し、検査をするたびに異なるファイル名を付けて次々にファイルを作成して、検査結果データとは別に登録している。これは波形データが、検査結果データに比べてデータ量が大きいこと及び検査結果データファイルとファイル形式が異なることから別に扱うことしかできなかったからである。なお、波形データのファイル名は、ユニークな個別番号や記号（例えば検査時刻など）に基づいて適宜付けて、後で個別識別ができるように工夫していた。
【００１２】
ところで、検査結果を見直す場合や、被検査機器を出荷する前に検査結果を再確認または再チェックする場合、その被検査機器についての検査結果並びに波形データを照会したい（波形データは音として再生したい）という要求がある。また、納入先や消費者から不良（クレーム）情報があったときには、出荷した不良品についての検査結果並びに波形データを照会したいという要求がある。
【００１３】
そして、係る要求に応じるために、後日に該当する被検査機器や不良品の音を再生するには、目的の検査対象の情報として例えば製造番号の情報しかなく、ファイル照会するにはこの製造番号を頼りにすることになる。しかし、上記したように波形データのファイルと検査結果のファイルとが別々に登録されていて、互いの関連付けを整理してから登録して残していないとともに、該当する検査結果データのファイルと波形データファイルとが製造番号に関連付いていないために、目的の検査対象のファイルを探す（特定する）のに非常に手間が発生していた。その結果、現実には、実際に音を波形データファイルから再生して確認するまでの作業を行うことはかなり困難であった。
【００１４】
この発明は、記憶保持している異音検査に伴う情報から、目的の検査対象の波形データを検索し、検査対象の音等の波形データを再生することが容易に行える波形データ再生装置及び波形データ再生方法並びにプログラム製品並びに波形データ再生システムを提供することを目的とする。
【００１５】
【課題を解決するための手段】
この発明による波形データ再生装置は、取得した波形に基づいて所定の解析を行う波形解析検査装置から出力される検査結果並びに検査対象を特定する特定情報を含む実績データと、その実績データを求める基となった波形データを取得するとともに、それらを関連づけて検査結果データベースに格納するデータベース格納手段と、前記検査結果データベースと、前記検査結果データベースにアクセスし、所定の検索条件に合致する前記実績データを抽出するとともに、その抽出した実績データに基づく検索結果情報を出力する検査結果検索手段と、前記検索結果情報にしたがって指定された検索結果に対応する波形データを読み出すとともに、その読み出した波形データを再生する波形データ再生手段とを備えて構成した。
【００１６】
また、別の解決手段としては、取得した波形に基づいて所定の解析を行う波形解析検査装置から出力される検査結果並びに検査対象を特定する特定情報を含む実績データと、その実績データを求める基となった波形データを取得するとともに、それらを関連づけて検査結果データベースに格納するデータベース格納手段と、前記検査結果データベースにアクセスし、所定の検索条件に合致する前記実績データを抽出するとともに、その抽出した実績データに基づく検索結果情報を出力する検査結果検索手段と、前記検索結果情報にしたがって指定された検索結果に対応する波形データを読み出すとともに、その読み出した波形データを再生する波形データ再生手段とを備えて構成することである。
【００１７】
ここで、特定情報は、実施の形態では「ＩＤ」に対応する。また、検索結果データベースは、装置に内蔵するハードディスク等の内部記憶装置でも良いし、外付けの外部記憶装置によって構成しても良く、記憶手段は任意である。
【００１８】
また、さらに別の解決手段としては、取得した波形に基づいて所定の解析を行う波形解析検査装置から出力される検査結果並びに検査対象を特定する特定情報を含む実績データを格納する検査結果データベースと、前記検査結果データベースにアクセスし、所定の検索条件に合致する前記実績データを抽出するとともに、その抽出した実績データに基づく検索結果情報を出力する検査結果検索手段と、前記検索結果情報にしたがって指定された検索結果に対応する波形データを読み出すとともに、その読み出した波形データを再生する波形データ再生手段とを備え、前記実績データに対応する前記波形データは、前記波形データ再生手段がアクセス可能な所定の記憶装置に、予め前記実績データと関連づけられて格納されているように構成することである。
【００１９】
なお、記憶装置は本発明の必須の構成要件ではない。つまり、取得した波形に基づいて所定の解析を行う波形解析検査装置から出力される検査結果並びに検査対象を特定する特定情報を含む実績データを格納する検査結果データベースと、前記検査結果データベースにアクセスし、所定の検索条件に合致する前記実績データを抽出するとともに、その抽出した実績データに基づく検索結果情報を出力する検査結果検索手段と、前記検索結果情報にしたがって指定された検索結果に対応する波形データを所定の記憶装置から読み出すとともに、その読み出した波形データを再生する波形データ再生手段とを備え、前記所定の記憶装置には、予め前記実績データと関連づけられて格納されているように構成することもできる。さらに、上記した構成において、検査結果データベースを構成要件から除去しても良い。
【００２０】
そして、前記所定の記憶装置は、内部記憶装置や、前記波形解析検査装置，他のコンピュータ，外部記憶装置等の外部装置のいずれによっても実現できる。なお、例えば波形データ再生装置が、アプリケーションプログラムをコンピュータにインストールすることにより構築される場合に、内部記憶装置は、当該コンピュータが持つハードディスクなどの記憶装置を含むものである。
【００２１】
さらに、前記記憶装置に格納される前記波形データのファイル名を、前記実績データに含まれる前記特定情報の少なくとも一部を利用することにより、前記関連づけを行うようにするとよい。このようにすると、ファイル名がそのまま関連付けのための情報となるので、係る関連付けのための情報を別途用意し、保有する必要がないので好ましい。
【００２２】
上記した各発明によれば、検査結果の実績データをデータベースにより一元管理し、実績データを検索・表示し、表示した検索結果を選択することで該当する検査対象の波形データを検索し、当該波形データを再生することができる。従って、音や振動波形を分析・解析する波形解析検査装置において、過去の検査結果記録とサンプリングした波形データを管理することにより、過去に得られた任意の波形データを検出して再生することが容易に行える。
【００２３】
一方、本発明の波形データ再生装置では、前記検査結果データベース或いは前記記憶装置に格納される前記波形データは、前記波形解析検査装置が取得した波形のうち、解析に必要の無いデータ部分を削除することより圧縮されたデータとすることができる。波形データは、バイナリデータなどで構成され、容量が大きい。そこで、不要な部分を削除することによりデータ量を圧縮し、メモリ容量の削減をすることができる。ここで「圧縮」とは、データ量を削減することを言い、不用なデータ部分を削除するだけでも本発明における「圧縮」に該当する。もちろん、実施の形態でも説明したように、係るデータの削除を行った後、通常の可逆圧縮を行うことも含む。さらに、削除するデータ部分であるが、不要な部分の一部を削除することも含まれる。つまり、不要な部分のすべてを削除するのがメモリ効率からいうと好ましいが、不要な部分の一部を残していてもメモリの削減効果が期待できるので、本発明で言う「圧縮」に含まれる。
【００２４】
さらに、前記波形解析検査装置は、音を構成する波形を解析するもので、前記波形データ再生装置は、波形データに基づいて音を再生するものとすることができる。
【００２５】
また、本発明に係る波形データ再生システムでは、例えば、上記した各波形データ再生装置と、前記波形解析検査装置がネットワーク接続するように構成することである。また、検査結果データベースを構成要件に含まない波形データ再生装置と、前記波形解析検査装置がネットワーク接続され、かつ、波形データ再生装置がアクセス可能な前記検査結果データベースを備えることによっても構成することができる。ここでいう「ネットワーク接続」とは、通信ケーブル等を用いて１対１に接続したものも含む概念である。要は、波形解析検査装置と波形データ再生装置が通信可能になっていればよい。
【００２６】
また、本発明に係る波形データ再生装置は、上記した各構成の波形データ再生装置に、前記波形解析検査装置を実装するように構成することもできる。すなわち、１台のコンピュータに、波形データ再生装置と波形解析検査装置をインストールすることにより実現することができる。
【００２７】
さらにまた、本発明に係る波形データ再生方法では、取得した波形に基づいて所定の解析を行う波形解析検査装置から出力される検査結果並びに検査対象を特定する特定情報を含む実績データと、その実績データを求める基となった波形データを取得するとともに、それらを関連づけて検査結果データベースに格納し、入力装置を介して指定された検索条件に基づき、前記検査結果データベースにアクセスし、前記検索条件に合致する前記実績データを抽出するとともに、その抽出した実績データに基づく検索結果情報を表示装置に出力し、前記検索結果情報にしたがって指定された検索結果に対応する波形データを前記検査結果データベースから読み出すとともに、その読み出した波形データを再生することである。なお、検査結果データベースに所定のデータが格納されているものを利用する場合には、上記した「検査結果データベースに格納する処理」は、構成要件から除外するようにすることもできる。
【００２８】
また、別の解決手段としては、取得した波形に基づいて所定の解析を行う波形解析検査装置から出力される検査結果並びに検査対象を特定する特定情報を含む実績データを検査結果データベースに格納し、入力装置を介して指定された検索条件に基づき、前記検査結果データベースにアクセスし、前記検索条件に合致する前記実績データを抽出するとともに、その抽出した実績データに基づく検索結果情報を表示装置に出力し、前記検索結果情報にしたがって指定された検索結果に対応する波形データを記憶装置から読み出すようにしてもよい。このとき、前記記憶装置には、前記実績データに対応する前記波形データが、予め前記実績データと関連づけられて格納されていることである。また、検査結果データベースに所定のデータが格納されているものを利用する場合には、上記した「検査結果データベースに格納する処理」は、構成要件から除外するようにすることもできる。
【００２９】
さらにまた、本発明に係るプログラム製品では、取得した波形に基づいて所定の解析を行う波形解析検査装置から出力される検査結果並びに検査対象を特定する特定情報を含む実績データと、その実績データを求める基となった波形データを取得するとともに、それらを関連づけて検査結果データベースに格納する処理と、入力装置を介して指定された検索条件に基づき、前記検査結果データベースにアクセスし、前記検索条件に合致する前記実績データを抽出するとともに、その抽出した実績データに基づく検索結果情報を表示装置に出力する処理と、前記検索結果情報にしたがって指定された検索結果に対応する波形データを前記検査結果データベースから読み出すとともに、その読み出した波形データを再生する処理を実行するプログラム部分を持つことである。
【００３０】
また、別の解決手段としては、取得した波形に基づいて所定の解析を行う波形解析検査装置から出力される検査結果並びに検査対象を特定する特定情報を含む実績データを検査結果データベースに格納する処理と、入力装置を介して指定された検索条件に基づき、前記検査結果データベースにアクセスし、前記検索条件に合致する前記実績データを抽出するとともに、その抽出した実績データに基づく検索結果情報を表示装置に出力する処理と、前記検索結果情報にしたがって指定された検索結果に対応する波形データを記憶装置から読み出す処理を実行するプログラム部分を持つ。そして、前記記憶装置に格納される前記実績データに対応する前記波形データは、予め前記実績データと関連づけられて格納されることである。
【００３１】
これらのプログラム製品をパソコンその他のコンピュータにインストールすることにより、波形データ再生装置が構築される。また、上記した各プログラム製品において、検査結果データベースに所定のデータが格納されているものを利用する場合には、上記した「検査結果データベースに格納する処理」は、構成要件から除外するようにすることもできる。
【００３２】
【発明の実施の形態】
図１は、本発明の第１の実施の形態を示している。図１に示すように、検査音再生装置１０は、異音検査システムを構成する波形解析検査装置１から出力される実績データファイル３並びに波形データファイル４を取得し、それら２つのファイルを関連づけて検査結果データベース１１に格納する。そして、必要に応じて、検査結果データベースに格納された任意の検査音を検索し、再生できるようになっている。
【００３３】
波形解析検査装置１は、例えば、特許文献１〜３に示した装置を利用することができるし、それ以外の構成のものももちろん用いることができる。要は、検査対象の音をマイクロホンで直接取得したり、光磁気ディスク（ＭＯ），ＣＤ−ＲＯＭ等の記録メディアに格納したものを読み出して取得し、その取得した音を構成する波形データに基づいて異常の有無を判断する機能を持っているものであればよい。そして、異常の有無その他の関連情報を、実績データファイルとして出力し、音を構成する波形データを、波形データファイル４として出力する。
【００３４】
また、検査音再生装置１０は、実際にはパソコンその他のコンピュータ５にインストールすることにより構築される。従って、音を再生する場合には、パソコン５が持つ汎用サウンドカード６を介して、係るコンピュータ５に接続されたスピーカなどの音声出力デバイス７から出力するようにする。
【００３５】
さらにまた、波形解析検査装置１は、図１では検査音再生装置１０がインストールされたコンピュータ５の外部に設置したように示している。係る場合には、波形解析検査装置１と、検査音再生装置１０とは、直接通信ケーブルで接続したり、ＬＡＮその他のネットワーク（有線／無線）を介して接続することにより、実績データファイル３並びに波形データファイル４は、通信を介して伝送できる。もちろん、これ以外も、それら各ファイルを各種の記録媒体に格納し、その記録媒体を介して検査音再生装置１０に伝達することもできる。
【００３６】
次に、検査音再生装置１０の内部構成を説明する。まず、実績データファイル３，波形データファイル４を取得するとともに、それらを関連づけて１つのファイルを生成して検査結果データベース１１に格納するデータベース格納部１２を備えている。さらに、係る検査結果データベース１１をアクセスし、格納された所定の情報を表示装置８に表示する検査結果検索部１３と、係る検査結果データベース１１をアクセスし、所望の検査結果についての波形データを読み出して、音声データとして汎用サウンドカード６に出力する波形データ音再生部１４を備えている。
【００３７】
検査結果データベース１１は、図２に示すようなデータ構造をとっている。すなわち、同一の検査対象について波形解析検査装置１から出力された実績データファイルに登録されている検査対象を特定するＩＤ，機種名，モード，人判定，ＰＣ判定，検査時刻並びに特徴量と、波形データファイルに登録されていた波形データを関連付けたテーブル構造として登録する。なお、人判定は、波形検査装置１の機能として、係る装置で当該検査対象に対して判定した際に、併せて検査員が判定した結果を登録する機能があり、その登録した結果（人判定結果）を実績データファイルとして出力するようになっている。なおまた、実績データファイルに含まれる項目は、図２に示したものに限られないのはもちろんであり、波形解析検査装置１に応じて適宜変更されることはある。但し、ＰＣ判定や、後日特定の検査結果を検索するための情報である検査結果を特定するための情報（ＩＤや検査時刻等）は含ませるようにする。
【００３８】
そして、上記のように波形解析検査装置１が出力する実績データファイル３および波形データファイル４を読出し、検査実績データおよび波形データを関連付けて検査結果データベース１１に格納するのが、データベース格納部１２である。
【００３９】
まず、データの格納方法としては、オンラインとオフラインの２種類の格納方法がある。ここで、オンラインとは、波形解析検査装置１とネットワークで接続された形態において、波形解析検査装置１が結果を出力するたびにデータを格納する方法である。一方、オフラインとは、波形解析検査装置１が出力した実績データファイル３および波形データファイル４を光磁気ディスクなどの補助記憶メディアに一旦保存し、その補助記憶メディアを介してバッチ処理的にデータを格納する方法である。
【００４０】
上記したいずれかの方法により、所定のデータを取得したデータベース格納部１２は、同一の検査対象に対する実績データと波形データを関連付けて１つのファイルにして検査結果データベース１１に格納するが、波形データは圧縮して格納する。すなわち、波形データは、音または振動センサの波形をサンプリングしたバイナリデータであるため、波形データを格納する場合、サンプリングしたバイナリデータをそのまま格納するとそのデータサイズが大きくて問題となる。
【００４１】
そこで、データを圧縮してサイズを小さくするようにした。ところで、サイズを小さくする手法として、多くのデータ圧縮手法が存在するが、一般的な音声圧縮手法では次に述べるような問題がある。
【００４２】
すなわち、例えば、ラン・レングス圧縮やハフマン圧縮は可逆圧縮方式であり、復元後は元データに完全に一致するメリットはあるが、音声波形データの場合圧縮効率が悪いという欠点がある。また、音声圧縮方式の多くは不可逆圧縮方式であり圧縮効率が高いというメリットはあるが、心理聴感評価を施し人間が聞き取れない音声データを削除してしまうため波形データ解析には適さない。
【００４３】
そこで、本実施の形態では、波形データ解析に影響を及ぼさないデータ圧縮の方式として、以下のようにした。すなわち、波形解析検査装置１は波形データを解析し、所定種類（例えば４０種類）の特徴量を演算する。そして、実際の検査では、算出した４０種類の全ての特徴量を使用するわけではなく、その中でも必要とする特徴量演算に必要なデータだけを残し必要の無いデータを削除する。具体的には、以下の観点でデータの圧縮を行う。
【００４４】
＜トリミングによるデータの削除＞
検査に必要なデータがサンプリングした全データではなく、時間的にある一部の期間の場合、その期間以外のデータを削除する。例えば、必要なデータが０．５秒目から１秒間以内にある場合に、それ以外の０．５秒未満並びに１秒経過後のデータを削除する。これにより、図３（ａ）に示す基データは、図３（ｂ）に示すように圧縮される。
【００４５】
＜周波数帯域フィルタによるデータの間引き＞
波形解析検査装置１は、周波数によるフィルタや周波数帯域毎の特徴量演算を行う。そこで、検査に必要な周波数帯域データだけを残し、他のデータを削除することによりデータを圧縮する。
【００４６】
＜量子化ビット数の減少によるデータの圧縮＞
波形解析検査装置１は１６ビットで量子化を行っている。そこで、特徴量演算に必要なサンプリングデータを表現するのに最低限必要な量子化ビット数に減少することによりデータを圧縮する。このとき全データを幾つかのブロックに分割し、そのブロック単位で量子化ビットを決定する。これによりデータ圧縮効率を高めることができる。
【００４７】
一例を示すと、図４に示すような波形データを２５０ｍｓ毎のブロックで量子化ビットの圧縮を行うと、それぞれ図５に示すような圧縮率で圧縮することができる。
【００４８】
上記した各処理を施した後、ハフマン圧縮などの可逆圧縮を行うことにより、さらなる高圧縮を行うことができる。そして、上記した圧縮処理は、データベース格納部１２に、例えば図６に示すようなフローチャートを実行する機能を組み込むことにより実現できる。図６に示す例では、トリミング処理→周波数フィルタ処理→量子化処理→可逆圧縮処理の順で圧縮するようにしたが、可逆圧縮処理を最後に行うようにすれば、それ以前の処理する順番は適宜に行える。また、各処理ステップを迂回する経路を示したように、必ずしも全ての処理ステップを実行する必要は無く、任意のステップを実行することにより所望の圧縮をすることができる。そして、圧縮処理を施した後のデータフォーマットは、図７に示すようなデータ構造となる。
【００４９】
検査結果検索部１３は、検査結果データベース１１に格納された検査結果を検索し表示するものである。具体的には、キーボード，ポインティングデバイスなどのコンピュータ５に備えられた入力装置９を介して受け取った検査対象の期間や検索条件の指定に基づき、検査結果データベース１１をアクセスし、該当する検査結果データを取得し、検索結果を表示装置（コンピュータのディスプレイ）８に表示する。
【００５０】
具体的には、表示装置８上に、例えば図８に示すような検索条件入力画面を表示する。この検索条件入力画面に基づき、操作員は、機種名，モード，人判定，ＰＣ判定および検査時刻など図２に示すデータ項目にあるデータを検索条件として入力する。さらに各特徴量に対して大小判定による絞込み条件を付加することができる。
【００５１】
そして、このようにして入力されてきた検索条件に合致する検索結果データを抽出する。そして、抽出した検索結果データを表示装置８に表示する。このときの表示形態は各種のものを取ることができる。すなわち、例えば、図９に示すように表計算ソフトのシート上に検索結果を表示することができる。この例では、横１列に、検査結果を１レコードとして表示している。
【００５２】
また、別の表示形態としては、図１０に示すように、検索結果をグラフで表示することもできる。この例では、指定した２つのデータ項目を縦軸，横軸にし各検査結果をプロットしている。
【００５３】
一方、波形データ音再生部１４は、指定された検査対象についての波形データを検査結果データベース１１から取得し、その取得した波形データに基づいて音を再生するものである。
【００５４】
具体的には、図９，図１０に示した検査結果の表示画面上で、音を再生したい検査対象を指定する。つまり、図９に示す表示形態の場合、例えば該当するＩＤを選択し、ダブルクリックなどの操作を行うことで指定することができる。また、図１０に示す表示形態の場合、該当するポイント（プロットマーク）をダブルクリックなどの操作を行うことで指定することができる。
【００５５】
そして、波形データ音再生部１４は、係る指定に基づき、指定されたＩＤに該当する波形データを検査結果データベース１１から取得する。なお、図１０に示すようにグラフで表示した場合には、各ポイントが、検査結果検索部１３にて抽出された検査結果データに紐付けされているため、その紐付けされた検査結果データのＩＤに基づいて検査結果データベース１１をアクセスできる。
【００５６】
次いで、検査結果データベース１１から取得した波形データは圧縮されているため、復号化処理を行う。そして、複合化されたデータに基づき、汎用サウンドカード６を利用して音を再生する。
【００５７】
なお、既に説明した通り、オーディオ信号を出力する汎用サウンドカード６や音声出力デバイス７などの装置は、コンピュータ５に内蔵もしくは付属する汎用の装置を使用する。そのためも波形データ音再生部１４は、復号化した波形データファイルをオペレーティング・システムが処理できる形式に波形データのフォーマット変換を行うようになっている。
【００５８】
さらに、波形データ音再生部１４は、復号化された波形データに対して，再生範囲の指定や特定周波数に対するフィルタ処理等を施す機能を有する。すなわち、図１１に示すような波形データ音再生条件指定画面を表示し、条件入力を受ける。そして、指定された条件に基づき、以下の各種の処理をする。
【００５９】
サンプリングした波形の指定した範囲のみを再生する「再生音範囲のトリミング」と、ローパス，ハイパス，バンドパスなどの周波数帯域によるフィルタ処理を実行する「フィルタ処理」と、ゲインやノイズゲートなどにしたがって出力する音量を決定する「エフェクト処理」などがある。なお、再生音範囲のトリミングは、「再生時間指定」の欄で指定された開始地点と終了地点に基づき、動作させる。
【００６０】
そして、波形データ音再生部１４における機能は、図１２に示すフローチャートを実行するようになっている。　図１２に示す例では、復号化処理→トリミング処理→周波数フィルタ処理→エフェクト処理の順で処理することにより、再生する波形データを生成する。この例でも、復号化処理を除き、上記３つの処理は図示した例に限らず適宜の順番に実行することができる。また、各処理ステップを迂回する経路を示したように、必ずしも全ての処理ステップを実行する必要は無く、任意のステップを実行することにより所望の圧縮をすることができる。なお、データベース格納部１２にて圧縮処理をしていない場合には、波形データ音再生部１４でも復号化処理はしない。
【００６１】
また、上記した装置の全体の作用としては、図１３に示すフローチャートを実施するようになる。これにより、任意の音を再生することができる。しかも、検査結果検索部１３の検索機能により、範囲検索をすることにより、目的の音データについておおよその絞り込みを行うことができ、短時間で目的の音データを抽出する処理が行える。また、ＰＣ判定の結果のＮＧであったもののみを抽出することにより、ＮＧになった原因の検討を容易に行える。ＰＣ判定と人判定の結果が異なるもののみを抽出したりすることにより、波形解析検査装置１のチューニング（判定アルゴリズムの修正により、誤判定率を減少させること）なども行える。
【００６２】
図１４は、本発明の第２の実施の形態を示している。本実施の形態では、第１の実施の形態を前提とし、検査結果データベース１１に格納する情報を相違させている。すなわち、第１の実施の形態では、波形解析検査装置１から出力される実績データファイル３と波形データファイル４を一体にして検査結果データベース１１に格納したが、本実施の形態では、実績データファイル３のみを検査結果データベース１１に格納し、波形データファイル４は別途記憶手段に格納するようにした。従って、検査結果データベース１１のデータ構造は、図２に示すものから波形データが無くなった構造となる。
【００６３】
そして、実績データと波形データを関連づけるため、波形データは、１つの検査結果毎にそれぞれ格納するようにし、その格納する際のファイル名を実績データのＩＤを使用するようにした。つまり、第１の実施の形態でも説明したが、ＩＤは検査対象毎にユニークに付けられる番号であるので、係るＩＤをファイル名に利用することにより、波形データファイルのファイル名もユニークとなるとともに、検査結果のＩＤと一対一に対応する。これにより、ＩＤから波形データファイル名を一意に決定することができる。
【００６４】
検査結果のＩＤの一例としては、［Ａ｜Ｂ］［年月日（ＹＹＭＭＤＤ）］，［４桁の連番］および［任意の数値］からなる文字列で構成される。一方、波形データファイル名は［年月日（ＹＹＭＭＤＤ）］［４桁の連番］．［サンプリングレートを表す拡張し］で構成される。なお、拡張子はＤＡＴ（１０ＫＨｚ），ＴＡＴ（２０ＫＨｚ），ＦＡＴ（４０ＫＨｚ）の何れかである。
【００６５】
これによれば、
ＩＤ＝Ａ０２０５２１０００１５６７８
のときの波形データのファイル名は、
０２０５２１０００１．ＦＡＴ
となる。
【００６６】
このように、ＩＤの一部を用いて波形データのファイル名としたが、ＩＤの全てを利用してももちろん良い。そして、係るファイル名を付けての完全に一致させてもよい。
【００６７】
そして、本実施の形態では、基本的にそれぞれ取得した実績データファイルと波形データファイルを別々に格納する処理を行うため、第１の実施の形態のようなデータベース格納部１２は必須の構成ではない。つまり、例えば波形解析検査装置１から出力される際に、上記したルールに従って波形データファイルのファイル名を付与しておくことにより、検査音再生装置１０側では、取得したデータを記憶装置に保存すると言ったコンピュータ５の通常のデータの読み書き機能を利用することにより実現できる。
【００６８】
また、波形データファイルのファイル名が上記ルールに沿っていない場合には、検査音再生装置１０側に係るファイル名を変換して保存する機能を設けることにより実現できる。なおまた、波形データの圧縮を検査音再生装置１０側で行う場合には、第１の実施の形態と同様の圧縮機能を備えたデータベース格納部等を設け、所定の圧縮処理を行うと良い。
【００６９】
検査結果検索部１３は、基本的に第１の実施の形態と同様で、操作者から指定された検索条件に合致する検索結果を検査結果データベース１１から抽出し、表示装置８に表示する。
【００７０】
また、波形データ音再生部１４は、表示装置８に出力表示した検査結果の画面にて指定されたＩＤをキーにして、該当する波形データファイル４を読み出し、音を再生する。つまり、ＩＤがファイル名に利用されているため、簡単に該当する波形データファイルを読み出すことができる。そして、波形データファイルが圧縮されている場合には、復号化処理をする。その後、図１１に示すような画面にて指定された波形データ音再生条件に従って、所定の処理を実行し、条件に合致する検査音を、汎用サウンドカード６を利用して音を再生する。なお、その他の構成並びに作用効果は第１の実施の形態と同様であるので、対応する部材に同一符号を付し、その詳細な説明を省略する。
【００７１】
図１５は、本発明の第３の実施の形態を示している。本実施の形態では、上記した第２の実施の形態と同様に、検査結果データベース１１には実績データファイルに基づく情報のみを格納し、それに関連する波形データファイルは別に格納するように構成した。そして、第２の実施の形態では、波形データファイル４を検査音再生装置１０（コンピュータ５の記憶装置（ハードディスク装置））内に格納するようにしたが、本実施の形態では、外部装置２０に格納するようにした。
【００７２】
この外部装置２０としては、例えば、他のコンピュータ（ファイル共用する）であったり、光磁気ディスクなどの記憶メディアであったりすることができる。さらには、図では分けて記載しているが、波形解析検査装置１そのものでもよい。要は、検査音再生装置１０がアクセスして読み出すことができるようになっていればよい。また、外部装置２０に格納される波形データファイル４は、もちろん波形解析検査装置１から出力されるものであるが、そのデータの転送は、外部装置２０がコンピュータの場合には、ネットワーク等を介してオンラインで行っても良いし、ＭＯ等の補助記録メディアを用いて転送しても良い。
【００７３】
そして、本実施の形態では、実績データファイルと波形データファイルの関連づけは、波形解析検査装置１側で行うことになる。なお、その他の構成並びに作用効果は、上記した各実施の形態と同様であるので、対応する部材に同一符号を付し、その詳細な説明を省略する。
【００７４】
上記したように、各実施の形態によれば、音波形による品質不良検査装置（波形解析検査装置）による不良／故障診断において過去の診断結果と、元となる音波形データを統合的に管理することができ、容易に検査対象の音を再生することができる。
【００７５】
上記した各実施の形態は、いずれも、波形解析検査装置１と検査音再生装置１０が別の装置としてインストールされたコンピュータ５の外部に設置したように示しているが、本発明はこれに限ることはなく、波形解析検査装置の部分と、波形データ再生装置の部分とが、共通のパソコンに共存することもできる。つまり、波形解析検査装置１を構成するためのアプリケーションプログラムをコンピュータ５にインストールすることにより、１つのコンピュータ５内に波形解析検査装置１と検査音再生装置１０を実装することができる。
【００７６】
つまり、具体的な図示は省略するが、図１，図１４，図１５において波形解析検査装置１もコンピュータ５内に含まれ、波形解析検査装置１から出力される実績データファイル３並びに波形データファイル４もコンピュータ５内を介して検査音再生装置１０に渡されるようになる。
【００７７】
このように、コンピュータ５内の内部メモリその他の記憶装置等を介して、２つのファイルを波形解析検査装置１側から検査音再生装置１０側に渡すことができる。
【００７８】
また、コンピュータ５に実装（インストール）する波形解析検査装置１とは、少なくとも波形解析を行うアプリケーション部分であり、波形解析をした結果の実績データや波形データは、コンピュータ５の外部の記憶装置に格納するようにしても良いし、内蔵ハードディスクなどの内部記憶装置に格納しても良い。従って、内部記憶装置を用いた場合には、実績データファイルや波形データファイルの転送は内部アクセス処理となり高速に処理できる。
【００７９】
さらにまた、上記した各実施の形態では、検査結果データベース１１は、波形データ再生装置である検査音再生装置１０の内部に備えた例を示したが、外部に設けてももちろん良い。その場合に、コンピュータ５に接続された外部補助記憶装置に格納しても良いし、第３の実施の形態における図１５に示す外部装置２０のように、別のコンピュータや波形解析検査装置１等に格納するように構成することもできる。
【００８０】
なお、上記したデータベース格納部１２，検査結果検索部１３並びに波形データ音再生部１４は、本実施の形態ではアプリケーションプログラム（プログラム製品）で構成され、コンピュータ（パソコン）５にインストールされ、そのＣＰＵにおいて、各処理部となって稼働する。
【００８１】
【発明の効果】
以上のように、この発明では、記憶保持している異音検査等に伴う実績データから、目的の検査対象の波形データを検索し、検査対象の音等の波形データを再生することが容易に行える。
【図面の簡単な説明】
【図１】本発明の第１の実施の形態を示す図である。
【図２】検査結果データベースに格納するデータを説明する図である。
【図３】（ａ）は、圧縮アルゴリズムを説明する図で、圧縮前の波形図である。
（ｂ）は、圧縮アルゴリズムを説明する図で、圧縮後の波形図である。
【図４】圧縮アルゴリズムを説明する図で、圧縮前の波形図である。
【図５】圧縮アルゴリズムを説明する図で、図４の波形図を圧縮した場合の効果を示す図である。
【図６】検査結果データベースのデータ構造図である。
【図７】データ圧縮アルゴリズムを説明するフローチャートである。
【図８】検索条件入力画面の一例を示す図である。
【図９】検索結果の表示画面の一例を示す図である。
【図１０】検索結果の表示画面の他の例を示す図である。
【図１１】再生条件指定入力画面の一例を示す図である。
【図１２】波形データ音再生部１４の機能を説明するフローチャートである。
【図１３】第１の実施の形態の作用を説明するフローチャートである。
【図１４】本発明の第２の実施の形態を示す図である。
【図１５】本発明の第３の実施の形態を示す図である。
【符号の説明】
１　波形解析検査装置
３　実績データファイル
４　波形データファイル
５　コンピュータ
６　汎用サウンドカード
７　音声出力デバイス
８　表示装置
９　入力装置
１０　検査音再生装置
１１　検査結果データベース
１２　データベース格納部
１３　検査結果検索部
１４　波形データ音再生部
２０　外部装置
【図１】
2004117092.tif 000003
【図２】
2004117092.tif 000004
【図３】
2004117092.tif 000005
【図４】
2004117092.tif 000006
【図５】
2004117092.tif 000007
【図６】
2004117092.tif 000008
【図７】
2004117092.tif 000009
【図８】
2004117092.tif 000010
【図９】
2004117092.tif 000011
【図１０】
2004117092.tif 000012
【図１１】
2004117092.tif 000013
【図１２】
2004117092.tif 000014
【図１３】
2004117092.tif 000015
【図１４】
2004117092.tif 000016
【図１５】
2004117092.tif 000017